(57)【要約】      （修正有）【課題】思考パターンに基づいたＵＲＩの記録と分類により、その検索性を高める。【解決手段】URIを１次元のリストとしてではなく、２次元もしくは３次元の空間上に、物理的配置情報とともに記録する。URIの分類が必要とされる場合は２次元もしくは３次元の空間上の物理的な位置で分類する。さらに利用頻度によって表示サイズを変えることによって感覚的に重要度を判断できるようにする。また、利用用途によってビューを変えることにより、分類方法を変えるようにする。【選択図】図２
2010044442.tif 000002
【特許請求の範囲】
【請求項１】
思考パターンを物理的配置で表現するURI(Universal Resource Identifier)記録方式。
【請求項２】
情報の分類を物理的配置で表現する、請求項第1項に記載したURI(Universal Resource Identifier)記録方式。
【請求項３】
分類する観点の選択による変更により、すでに配置されたURI(Universal Resource Identifier)の物理的配置が変更される請求項第2項に記載したURI(Universal Resource Identifier)記録方式。
【請求項４】
利用頻度により表示情報の大きさが変更する請求項第1項に記載したURI(Universal Resource Identifier)記録方式。
【請求項５】
複数ユーザのURI記録情報をサーバに保持し、その情報をもとに、他ユーザの思考パターンを共有する、請求項第1項に記載したURI(Universal Resource Identifier)記録方式。
【発明の詳細な説明】
【技術分野】
【０００１】
本発明は、インターネット上の情報の場所を示すURIの分類、表示、及びその集合体から導出される2次データの利用に関する。
【背景技術】
【０００２】
従来、インターネット上の情報の場所を示すURIの分類と管理には、ウェブブラウザが提供しているブックマーク機能を利用する。
また、OS(オペレーティングシステム)のデスクトップ上のショートカットなどを利用する場合もある。
また、ポータルサイトやブログサイトが提供しているURIのリンクの登録機能を利用する場合もある。
【０００３】
図１１により、従来の分類と管理の手法について説明する。図において、39は記録されたURIの表示名称と実際のURIのデータを表しており、40は39の分類を表している。ウェブブラウザのブックマーク機能などでは、39で示すようにURIの情報がその表示名称とともに記録され、この情報は時系列で追加されていく。この場合40は「フォルダー」など入れ物に相当する概念で実現される。ユーザが分類を必要とするときは、対象となる分類を表す入れ物を一つ選択し、その入れ物をマウス操作などで開いて、そこに記録されるように操作をする。
【発明の開示】
【発明が解決しようとする課題】
【０００４】
以上に述べた従来のURIの分類と管理方法では、次のような問題があった。
(イ) 記録されたURIが一次元のリスト状に列挙されていて、求める情報を探し出すにはリストを順次見て探す。これはリンクの数が増えるに従い、検索性の悪い動作になる。
(ロ) 共通のテーマのURIに関しては、フォルダーなど分類するための概念を使って集合化することができるが、複数のテーマにまたがるURIも多く存在するので、分類が不便である。
(ハ) URIは自動的に時系列に記録されるため、必ずしも検索し易い順番とは限らない。
(ニ) 分類されたURIは、それぞれのフォルダーなどで管理されるため、一覧性に欠け、俯瞰による検索ができず、検索性が悪い。
【０００５】
本発明は、このような従来の構成が有していた問題を解決しようとするものであり、思考パターンに基づいたURIの記録と分類により、その検索性を高めることを目的とするものである。
さらに、その記録情報から複数のユーザ間で思考パターンを共有するシステムを実現することを目的とするものである。
【課題を解決するための手段】
【０００６】
本発明では、URIを１次元のリストとしてではなく、２次元もしくは３次元の空間上に、物理的配置情報とともに記録する。ユーザは、自分の使いやすいと思われる空間上の一地点にURIを配置し記録する。
【０００７】
URIの分類が必要とされる場合、同分類のURIを近接に配置することにより、２次元もしくは３次元の空間上の物理的な位置で分類する。このことによりユーザは自身の思考パターンに近似した位置に配置する。その際にURIと共に分類項目の情報が付随する情報として記録される。
【０００８】
上記の手段により分類項目の情報が付随したURIは、分類の観点又は用途(ビュー)の選択による変更により、そのビューに基づいて再配置される。
【０００９】
利用頻度の高いURIは表示サイズを他の項目よりも大きく表示し、利用頻度の低いURIは小さく表示する。また、分類の観点又は用途(ビュー)が変更された場合は、そのビューに応じた利用頻度を反映する。
【００１０】
各ユーザが記録したURIとその分類情報をサーバで管理、解析し、共通する興味を持つユーザや、同業のユーザを対象に解析情報を提示する。
【００１１】
URIを物理的配置情報及び付随する分類項目の情報と共に記録することと、利用頻度に応じて表示サイズを変えることによる作用は、異なる複数のURIの関連やユーザにとっての情報の重要度などの感覚的な思考パターンを、視覚的に表すことができるというものである。
【００１２】
また、各ユーザが記録したURIとその付随情報をサーバで管理・解析する作用は、ユーザに対して、そのユーザと共通属性を持つ別のユーザの思考パターンを共有できるというものである。
【発明の効果】
【００１３】
本発明は、これまでURIとタイトルのみで文字列のデータでしかなかったURIの記録方法に、思考パターンを表す要素を盛り込むことにより、感覚的で、より検索性が高いURIの分類、管理方法を提供できる。
【００１４】
また、分類の観点又は用途(ビュー)を一つに限定しないため、利用する場面に応じて、同一URIを違う観点で分類できる。さらに、そのビューでの利用頻度が表示項目のサイズに反映されるため、ビューに応じた重要度を判断できる。表示項目のサイズが大きくなることで、利用頻度や重要度の高い項目の操作がし易くなる。
【発明を実施するための最良の形態】
【００１５】
以下、本発明の実施の形態を図１〜図１０に基づいて説明する。
【００１６】
図１は本発明の実施時の構成を示す。この実施形態では、サーバ装置１と端末装置２、３、４・・・が、インターネットを介して接続されている。サーバ装置１は、本発明を実行するプログラムを記録しており、ウエブサーバとして機能するものである。端末装置２、３、４・・・には、ウエブサイトを閲覧するためのウェブブラウザが記録されており、サーバ装置１にアクセスすることにより、本発明を実行するプログラムを使用することができる。
【００１７】
図２と図３は本発明を実行するプログラムが、図１の端末装置２、３、４・・・に表示する実行結果を示す。図２はある一つの分類の観点又は用途（ビュー）のもとの表示結果である。URI項目５からURI項目１４及びURI項目１８からURI項目２７は記録されたURIを表現し、その表現方法は文字列や画像である。分類領域１５から分類領域１７及び分類領域２８から分類領域３０は、URI項目の分類を表現する領域を表す。
【００１８】
図２において、URI項目６から８は利用頻度が高いため、その表示サイズが他のURI項目と比べて大きくなっている。このことにより、良く使う項目を目立たせて重要度が一目で分かるようになり、また、操作し易くなる。
【００１９】
図２において、URI項目５と６は同一分類に属する。そのためお互いに隣接しており、分類領域１５の領域内に配置されている。また、URI項目８からURI項目１０も同一分類に属するため、お互いに隣接しており分類領域１６の領域内に配置されている。同様に、URI項目１１からURI項目１４も同一分類に属する。URI項目７は、URI項目５及びURI項目６の分類と、URI項目８からURI項目１０の分類の２つの分類に属する。そこで、分類領域１５と分類領域１６の間に配置することによって、複数の分類に属することを表現する。また、URI項目７をURI項目６よりもURI項目８に近い位置に配置することによって、２つの分類に属するものの、URI項目８の分類に近いことを表現する。
【００２０】
図３はユーザがビューを変更した後の実行結果を示す。URI項目の配置と分類が、そのビューに応じたものに変更する。図２で表現されているビューの用途ではURI項目５からURI項目１０の利用が中心となっているが、図３で表現されているビューの用途では、これらのURI項目を利用することがないため、図３のURI項目２３からURI項目２７で示されるように、サイズが小さくなった上に分類領域３０の領域内に収められる。ただし、図２のURI項目１０に関しては、図３で表現されているビューのでも利用するURI項目であるため、URI項目１９で示されるように、そのビューにおける分類と、利用頻度に応じたサイズで表現される。また、図２で表現されているビューでは、URI項目１１とURI項目１２は同一分類に属していたが、図３で表現されているビューでは、分類が変わってそれぞれ分類領域２８及び分類領域２９に分けて配置される。
【００２１】
図４から図９は、以上の実行結果を実現するために、サーバが情報を記録するテーブルを表す。これらの情報はユーザごとに記録される。図４に示されるテーブルにURIの基本的な情報を記録し、図５に示されるテーブルに分類情報を記録し、図６に示されるテーブルに、ビュー情報を記録する。
【００２２】
図７から図９は、図４から図５で示されたテーブルに記録されたデータのマッピングを記録するテーブルを示す。図７は図６で示されたテーブルのビュー情報と図５で示されたテーブルの分類情報をマッピングする。これによって図３で示されたようにユーザがビューを変更した際に表示する分類領域を決定する。図８は図４で示されたテーブルのURIの基本的な情報と図５で示されたテーブルの分類情報をマッピングする。これによって図２及び図３で示されたようにリンクを分類して表示する。図９は図４で示されたテーブルのURIの基本的な情報と図６に示されたテーブルのビュー情報をマッピングする。これによって特定のビューにおけるURIの利用頻度を決定することができ、プログラムはURI項目の表示サイズをそれに応じたものにする。
【００２３】
図８のマッピング情報３６及びマッピング情報３７からURI項目３１は分類領域３２と分類領域３３の両方に属することが分かる。また、図７のマッピング情報３５から、分類領域３２はビュー３４で表示されることが分かる。さらに図９のマッピング情報３８からURI項目３１のビュー３４における利用頻度が決定できる。以上のことから、URI項目３１は、ビュー３４においては、分類領域３２と分類領域３３の間に、大きい表示サイズで表示することを判別できる。
【００２４】
図１０はユーザの基本情報を記録するテーブルを表す。上記の通り図４から図９で示されるテーブルはユーザごとに情報が記録される。図１０で示されるテーブルの情報から、同一職種または共通の興味対象を持つ別のユーザが記録しているURI項目やその分類を共有することができる。
【図面の簡単な説明】
【００２５】
【図１】本発明の実施時の構成
【図２】本発明を実行するプログラムがあるビューのもと表示する結果
【図３】本発明を実行するプログラムが別のビューのもと表示する結果
【図４】URIの基本的な情報を記録するテーブル
【図５】分類情報を記録するテーブル
【図６】ビュー情報を記録するテーブル
【図７】ビュー情報と分類情報のマッピングを記録するテーブル
【図８】URI情報と分類情報のマッピングを記録するテーブル
【図９】URI情報とビュー情報のマッピングを記録するテーブル
【図１０】ユーザの基本的な情報を記録するテーブル
【図１１】従来のURI情報の分類と管理方法を表した図
【図１】
2010044442.tif 000003
【図２】
2010044442.tif 000004
【図３】
2010044442.tif 000005
【図４】
2010044442.tif 000006
【図５】
2010044442.tif 000007
【図６】
2010044442.tif 000008
【図７】
2010044442.tif 000009
【図８】
2010044442.tif 000010
【図９】
2010044442.tif 000011
【図１０】
2010044442.tif 000012
【図１１】
2010044442.tif 000013